(57)【要約】【課題】電力供給装置の接続部への給電が行なわれない状態に一旦しても当該接続部に接続された電気機器をユーザが円滑に利用することが可能な電力供給装置、電力管理方法および電力管理プログラムを提供する。【解決手段】電力供給装置１０１は、電気機器を接続可能な接続部１２と、接続部１２経由で電気機器に給電するための電力伝達部１１とを備え、電力伝達部１１は、電力供給命令を受けるか、電力供給停止命令を受けて接続部１２からの給電が行なわれない状態にしてから所定時間が経過すると、接続部１２からの給電が可能な状態にする。【選択図】図２
2013017265.tif 000002
【特許請求の範囲】
【請求項１】
電気機器を接続可能な接続部と、
前記接続部経由で前記電気機器に給電するための電力伝達部と、を備え、
前記電力伝達部は、電力供給命令を受けるか、電力供給停止命令を受けて前記接続部からの給電が行なわれない状態にしてから所定時間が経過すると、前記接続部からの給電が可能な状態にすることを特徴とする電力供給装置。
【請求項２】
前記電力供給装置は、さらに、前記電気機器に供給される電流を少なくとも測定するための測定部を備え、
前記電力伝達部は、前記所定時間が経過することで前記接続部からの給電が可能な状態にするかどうかを前記測定部により予め得られた測定結果に基づいて決定し、前記電力供給停止命令を受けて前記接続部からの給電が行なわれない状態にしてから所定時間が経過すると、その決定にしたがって前記接続部からの給電が可能な状態にすることを特徴とする請求項１に記載の電力供給装置。
【請求項３】
前記電力供給装置は、さらに、前記電気機器が稼動状態よりも消費電力の少ない待機状態を有するか否かを前記測定結果に基づいて判断するための判定部を備え、
前記電力伝達部は、前記電気機器が待機状態を有すると判断された場合、前記所定時間が経過することで前記接続部からの給電が可能な状態にし、前記電気機器が待機状態を有さないと判断された場合、前記所定時間が経過しても前記接続部からの給電が行なわれない状態を維持することを特徴とする請求項２に記載の電力供給装置。
【請求項４】
前記電力供給装置は、さらに、前記所定時間が経過しても前記接続部からの給電が行なわれた状態を維持した場合、前記電気機器を稼動状態とするために前記接続部からの給電状態を変更する必要があることを示す情報を報知装置へ送信するための送信部を備えることを特徴とする請求項３に記載の電力供給装置。
【請求項５】
前記電力供給装置は、さらに、前記電気機器に供給される電流を少なくとも測定するための測定部をさらに備え、
前記電力伝達部は、前記所定時間が経過することで前記接続部からの給電が可能な給電可能状態にした場合に、前記給電可能状態を継続するか解除するかを前記給電可能状態にしてからの前記測定部の測定結果により決定し、前記給電可能状態を解除すると決定したとき、前記接続部からの給電が行なわれない状態にする、請求項１に記載の電力供給装置。
【請求項６】
前記電力供給装置は、さらに、前記給電可能状態を解除すると決定することで、前記接続部からの給電が行なわれない状態にした場合、前記電気機器を稼動状態とするために前記接続部からの給電状態を変更する必要があることを示す情報を報知装置へ送信するための送信部を備えることを特徴とする請求項５に記載の電力供給装置。
【請求項７】
前記電力供給装置は、さらに、前記電気機器が稼働状態よりも消費電力の少ない待機状態を有するか否かを記憶する記憶部を備え、
前記電力伝達部は、前記電気機器が待機状態を有する場合には、電力供給停止命令を受けて前記接続部からの給電が行なわれない状態にしてから所定時間が経過すると、前記接続部からの給電が可能な状態にすることを特徴とする請求項１から請求項６のいずれか１項に記載の電力供給装置。
【請求項８】
電力供給装置の接続部に接続された電気機器への給電を制御する電力管理方法であって、
電力供給停止命令を受けて、前記接続部からの給電が行なわれない状態にするステップと、
前記接続部からの給電が行なわれない状態にしてから所定時間が経過すると、前記接続部からの給電が可能な状態にするステップと、を含む電力管理方法。
【請求項９】
電力供給装置の接続部に接続された電気機器への給電を制御するための電力管理プログラムであって、コンピュータに、
電力供給停止命令を受けて、前記接続部からの給電が行なわれない状態にするステップと、
前記接続部からの給電が行なわれない状態にしてから所定時間が経過すると、前記接続部からの給電が可能な状態にするステップと、を実行させるための、電力管理プログラム。
【発明の詳細な説明】
【技術分野】
【０００１】
本発明は、電力供給装置、電力管理方法および電力管理プログラムに関し、特に、電力機器への電力供給をリレー等のスイッチのオンオフにより制御する電源タップのような電力供給装置、電力管理方法および電力管理プログラムに関する。
【背景技術】
【０００２】
家庭および職場における電力消費量をユーザが把握するために、電力センサおよび通信モジュール等を内蔵した電源タップが開発されている。この電源タップに電気機器を接続し、収集した電力消費情報をたとえば家庭内のホームゲートウェイへ送信する。これにより、複数の電源タップの電力消費情報を集約し、ユーザに家庭内の電力消費情報を提示する。
【０００３】
このような電源タップの一例として、たとえば、特開２００８−１９７７５５号公報（特許文献１）には、以下のような構成が開示されている。すなわち、造営物側コンセント口に接続可能なＡＣプラグと、機器のＡＣプラグの差込接続が可能なコンセント口とを備えた電源タップにおいて、当該電源タップのＡＣプラグに接続された電力線通信モデムと、当該電源タップのＡＣプラグとコンセント口との間に介在するプログラマブルコントローラとを内蔵する。電力線通信モデムでは電力線搬送通信上でプログラマブルコントローラの制御条件を付加したプログラムデータを受け取るとともにその受け取ったプログラムデータをプログラマブルコントローラに送る。一方、プログラマブルコントローラでは上記送られたプログラムデータに応答して上記コンセント口に接続した機器の電源をオンオフ制御できる。
【先行技術文献】
【特許文献】
【０００４】
【特許文献１】特開２００８−１９７７５５号公報
【発明の概要】
【発明が解決しようとする課題】
【０００５】
ところで、上記のような電源タップにおいて、電源タップのコンセントへの給電が行なわれない状態にすると、その後、ユーザが当該機器本体の電源スイッチをオンしても、コンセントからの給電が行なわれないために、当該機器を稼動させることができない。そして、コンセントからの給電が行なわれない状態になっていることをユーザが知らなかったり、忘れていたりすると、当該機器が稼動しない理由を直ちに理解することができない。さらに、その理由を理解してから、電源タップを操作して、もう一度、当該機器本体の電源スイッチをオンするのはユーザにとって面倒である。
【０００６】
この発明は、上述の課題を解決するためになされたもので、その目的は、電力供給装置の接続部への給電が行なわれない状態に一旦しても当該接続部に接続された電気機器をユーザが円滑に利用することが可能な電力供給装置、電力管理方法および電力管理プログラムを提供することである。
【課題を解決するための手段】
【０００７】
上記課題を解決するために、この発明のある局面に係わる電力供給装置は、電気機器を接続可能な接続部と、上記接続部経由で上記電気機器に給電するための電力伝達部と、を備え、上記電力伝達部は、電力供給命令を受けるか、電力供給停止命令を受けて上記接続部からの給電が行なわれない状態にしてから所定時間が経過すると、上記接続部からの給電が可能な状態にする。
【０００８】
このように、この発明に係る電力供給装置は、電力供給停止命令を受けて接続部からの給電が行なわれない状態にしてから所定時間が経過すると、接続部からの給電が可能な状態にするので、ユーザは、電気機器側の電源操作をするだけで、当該電気機器を利用することができる。
【０００９】
好ましくは、上記電力供給装置は、さらに、上記電気機器に供給される電流を少なくとも測定するための測定部を備え、上記電力伝達部は、上記所定時間が経過することで上記接続部からの給電が可能な状態にするかどうかを上記測定部により予め得られた測定結果に基づいて決定し、上記電力供給停止命令を受けて上記接続部からの給電が行なわれない状態にしてから所定時間が経過すると、その決定にしたがって上記接続部からの給電が可能な状態にする。
【００１０】
また、好ましくは、上記電力供給装置は、さらに、上記電気機器が稼動状態よりも消費電力の少ない待機状態を有するか否かを上記測定結果に基づいて判断するための判定部を備え、上記電力伝達部は、上記電気機器が待機状態を有すると判断された場合、上記所定時間が経過することで上記接続部からの給電が可能な状態にし、上記電気機器が待機状態を有さないと判断された場合、上記所定時間が経過しても上記接続部からの給電が行なわれない状態を維持する。
【００１１】
また、好ましくは、上記電力供給装置は、さらに、上記所定時間が経過しても上記接続部からの給電が行なわれた状態を維持した場合、上記電気機器を稼動状態とするために上記接続部からの給電状態を変更する必要があることを示す情報を報知装置へ送信するための送信部を備える。
【００１２】
また、好ましくは、上記電力供給装置は、さらに、上記電気機器に供給される電流を少なくとも測定するための測定部をさらに備え、上記電力伝達部は、上記所定時間が経過することで上記接続部からの給電が可能な給電可能状態にした場合に、上記給電可能状態を継続するか解除するかを上記給電可能状態にしてからの上記測定部の測定結果により決定し、上記給電可能状態を解除すると決定したとき、上記接続部からの給電が行なわれない状態にする。
【００１３】
また、好ましくは、上記電力供給装置は、さらに、上記給電可能状態を解除すると決定することで、上記接続部からの給電が行なわれない状態にした場合、上記電気機器を稼動状態とするために上記接続部からの給電状態を変更する必要があることを示す情報を報知装置へ送信するための送信部を備える。
【００１４】
また、好ましくは、上記電力供給装置は、さらに、上記電気機器が稼働状態よりも消費電力の少ない待機状態を有するか否かを記憶する記憶部を備え、上記電力伝達部は、上記電気機器が待機状態を有する場合には、電力供給停止命令を受けて上記接続部からの給電が行なわれない状態にしてから所定時間が経過すると、上記接続部からの給電が可能な状態にする。
【００１５】
上記課題を解決するために、この発明のある局面に係わる電力管理方法は、電力供給装置の接続部に接続された電気機器への給電を制御する電力管理方法であって、電力供給停止命令を受けて、上記接続部からの給電が行なわれない状態にするステップと、上記接続部からの給電が行なわれない状態にしてから所定時間が経過すると、上記接続部からの給電が可能な状態にするステップと、を含む。
【００１６】
このように、この発明に係る電力管理方法においては、電力供給停止命令を受けて接続部からの給電が行なわれない状態にしてから所定時間が経過すると、接続部からの給電が可能な状態にするので、ユーザは、電気機器側の電源操作をするだけで、当該電気機器を利用することができる。
【００１７】
上記課題を解決するために、この発明のある局面に係わる電力管理プログラムは、電力供給装置の接続部に接続された電気機器への給電を制御する電力管理プログラムであって、コンピュータに、電力供給停止命令を受けて、上記接続部からの給電が行なわれない状態にするステップと、上記接続部からの給電が行なわれない状態にしてから所定時間が経過すると、上記接続部からの給電が可能な状態にするステップと、を実行させるためのプログラムである。
【００１８】
このように、この発明に係る電力管理プログラムにおいては、電力供給停止命令を受けて接続部からの給電が行なわれない状態にしてから所定時間が経過すると、接続部からの給電が可能な状態にするので、ユーザは、電気機器側の電源操作をするだけで、当該電気機器を利用することができる。
【発明の効果】
【００１９】
本発明によれば、電力供給装置の接続部への給電が行なわれない状態に一旦しても当該接続部に接続された電気機器をユーザが円滑に利用することができる。
【図面の簡単な説明】
【００２０】
【図１】本発明の実施の形態に係る電力管理システムの構成を示す図である。
【図２】本発明の実施の形態に係る電源タップの構成を示す図である。
【図３】本発明の実施の形態に係る電源タップの使用例を示す図である。
【図４】本発明の実施の形態に係る電源タップが電気機器への電力供給を停止する場合の動作の流れを説明するフローチャートである。
【発明を実施するための形態】
【００２１】
以下、本発明の実施の形態について図面を用いて説明する。なお、図中同一または相当部分には同一符号を付してその説明は繰り返さない。
【００２２】
［構成および基本動作］
図１は、本発明の実施の形態に係る電力管理システムの構成を示す図である。
【００２３】
図１を参照して、電力管理システム２０１は、たとえば家庭内に構築され、複数の電源タップ（電力供給装置）１０１と、分電盤１０２に取り付けられたＣＴ（Current Transformer）クランプと、無線アダプタ１０３と、ホームゲートウェイ（管理装置）１０４と、ＤＰＦ（Digital Photo Frame）（報知装置）１０５とを備える。
【００２４】
電源タップ１０１および無線アダプタ１０３は、たとえばＺｉｇＢｅｅ規格に従う無線信号を送受信する。ＣＴクランプおよび無線アダプタ１０３も、たとえばＺｉｇＢｅｅ規格に従う無線信号を送受信する。ホームゲートウェイ１０４およびＤＰＦ１０５は、たとえばＩＥＥＥ８０２．１１規格の無線ＬＡＮ（Local Area Network）方式に従って無線信号を送受信する。なお、電力管理システム２０１におけるこれらの通信規格は一例であり、たとえば無線ＬＡＮの通信のみが行われてもよい。
【００２５】
ＣＴクランプは、たとえば、分電盤１０２の主幹部に取り付けられ、系統側電力線から分電盤１０２を介して家庭内の各部に供給される電力を測定し、測定結果を示す電力消費情報を無線アダプタ１０３へ無線信号によって送信する。
【００２６】
電源タップ１０１は、電気機器１２１を接続可能であり、自己に接続された電気機器１２１に分電盤１０２から受けた電力を供給する。
【００２７】
具体的には、電源タップ１０１は、系統側電力線からの電力を分電盤１０２経由で受けて、自己に接続されたエアコンおよびテレビ等の電気機器１２１に電力を供給する。また、電源タップ１０１は、たとえば、自己に接続された電気機器１２１に供給される電力を測定し、測定結果を示す電力消費情報を無線アダプタ１０３へ無線信号によって送信する。
【００２８】
無線アダプタ１０３は、通信プロトコルの変換処理を行い、電源タップ１０１およびＣＴクランプから受信した電力消費情報をホームゲートウェイ１０４へ送信する。なお、無線アダプタ１０３に相当する機能をホームゲートウェイ１０４に組み込むことも可能である。
【００２９】
ホームゲートウェイ１０４は、無線アダプタ１０３から受信した電力消費情報をＤＰＦ１０５、およびインターネット３０１経由でサーバ群１５１へ送信する。
【００３０】
ＤＰＦ１０５は、ホームゲートウェイ１０４から受信した電力消費情報を、音声および映像の少なくとも一方を用いてユーザに知らせる。
【００３１】
サーバ群１５１は、各家庭からの電力消費情報を収集する。収集された情報は、たとえば、ユーザがＤＰＦ１０５等によって閲覧可能にするために、各家庭の電力消費に関する統計資料の作成に用いられる。
【００３２】
図２は、本発明の実施の形態に係る電源タップ１０１の構成を示す図である。
【００３３】
図２を参照して、電源タップ１０１は、電力伝達部１１と、接続部１２と、測定部１３と、送信部１４と、受信部１５と、判定部１６と、記憶部１７とを備える。
【００３４】
電力伝達部１１は、外部から受けた電力すなわち分電盤１０２から受けた系統電力を接続部１２経由で電気機器１２１に供給する。電力伝達部１１は、インレットと、該インレットとアウトレットとを切断可能に接続するリレーとを含む。リレーは、アウトレットへの給電およびその停止を切り替えるために用いられる。電力伝達部１１は、命令を受けて該リレーを動作させる。この命令は、リレーをオンさせる電力供給命令またはリレーをオフさせる電力供給停止命令である。
【００３５】
接続部１２は、たとえばコンセント（アウトレット）を含み、電気機器１２１を接続可能である。このコンセントは、一つでもよく、複数あってもよい。
【００３６】
測定部１３は、電力伝達部１１によって電気機器１２１に供給される電流を少なくとも測定し、測定結果を示す電力消費情報を作成する。例えば、測定部１３は、電気機器１２１に供給される電流および電圧を測定することにより、電気機器１２１に供給される電力を測定する。ここで、電力消費情報は、測定値そのものであってもよいし、測定値に対して丸め処理等が行われた値であってもよいし、測定した電流値および電圧値から算出された電力値であってもよい。
【００３７】
送信部１４は、測定部１３によって作成された電力消費情報を無線アダプタ１０３経由でホームゲートウェイ１０４へ送信する。
【００３８】
受信部１５は、外部から電気機器１２１への電力供給停止命令を受信する。そして、電力伝達部１１は、受信部１５から電力供給停止命令を受けて電気機器１２１への電力供給を停止する。
【００３９】
さらに、電力伝達部１１は、電力供給停止命令を受けて電気機器１２１への電力供給を停止した後、所定時間を経過後に電気機器１２１への電力供給を再開する。そして、電力伝達部１１は、測定部１３によって得られた測定結果に基づいて、電気機器１２１への電力供給を再び停止するべきか否か判断する。
【００４０】
例えば、電力伝達部１１は、測定された電流値が所定の電流値を超える場合または測定された電圧値が所定の電圧値を超える場合には、ユーザからの起動指示を受けることなく電気機器１２１が稼働してしまっており、電気機器１２１への電力供給を再び停止するべきであると判断する。また、例えば、電力伝達部１１は、測定された電流を少なくとも測定することにより、電気機器１２１に供給される電力を測定し、この電力値が所定の電力値を超える場合には、ユーザからの起動指示を受けることなく電気機器１２１が稼働してしまっており、電気機器１２１への電力供給を再び停止するべきであると判断する。ここで、所定の電流値、所定の電圧値、所定の電力値は、それぞれ、電気機器１２１の稼働状態における最小値および平均値等である。
【００４１】
そして、電力伝達部１１は、電気機器１２１への電力供給を再び停止するべきと判断した場合には、電気機器１２１への電力供給を再び停止する。また、送信部１４は、電力伝達部１１が電力供給停止命令を受けて電気機器１２１への電力供給を停止し、再開した後に再び停止した場合には、電源タップ１０１から電力供給されると電気機器１２１が稼働状態となることを示す情報（接続部１２からの給電状態を変更する必要があることをユーザに知らせるための情報）をホームゲートウェイ１０４へ送信する。
【００４２】
一方、電力伝達部１１は、電気機器１２１への電力供給を再び停止する必要はないと判断した場合には、電気機器１２１へ電力を供給している状態を継続する。
【００４３】
判定部１６は、電気機器１２１が稼働状態よりも消費電力の少ない待機状態を有するか否かを判定する。より詳細には、電力伝達部１１は、測定部１３によって得られた測定結果に基づいて、電気機器１２１へ供給される少なくとも電流、さらには電圧の時系列データ、またはその両方を含む計測データを取得する。この特徴データとは、時系列データの所定期間における最大値もしくは最小値、または時系列データにおける平均値もしくは分散などの統計データやそれらを分類した符号であり、取得した時系列データの電力的な特徴を有し、当該電力が供給される電気機器の動作の状態を判定できるものであればよい。
【００４４】
そして、判定部１６は、取得した時系列データ、特徴データまたは計測データを用いて、電気機器１２１が稼働状態よりも消費電力の少ない待機状態を有するか否かを判定する。なお、待機状態を有する電気機器１２１は、ユーザが電気機器１２１専用のリモコンを操作するなどにより、電気機器１２１への動作指示を与えることによって、待機状態から稼働状態へ移行する。
【００４５】
記憶部１７は、判定部１６による判定結果を受けて、電気機器１２１が待機状態を有するか否かを記憶する。そして、電力伝達部１１は、記憶部１７に記憶されている情報を読み出し、電気機器１２１が待機状態を有する場合には、電力供給停止命令を受けて電気機器１２１への電力供給を停止した後、電気機器１２１への電力供給を再開して、測定部１３の測定結果に基づく判断を行うことなく、この電力供給状態を継続する。
【００４６】
図３は、本発明の実施の形態に係る電源タップ１０１の使用例を示す図である。
【００４７】
図３を参照して、電源タップ１０１は、接続部１２におけるコンセントにプラグが差し込まれたエアコン、電気ストーブなどの電気機器１２１の電力消費量を計測する。また、電源タップ１０１は、例えば内蔵のリレーにより、上記コンセントへの電力供給経路を遮断可能である。
【００４８】
電源タップ１０１は、たとえば部屋の天井側に設けられたエアコン１２１付近の壁コンセントに差し込まれている。ユーザは、電源タップ１０１へ電力供給の停止を指示するために、タップ用リモコン５１を使用する。
【００４９】
タップ用リモコン５１は、タップに専用のリモコンであってもよいし、たとえばＵＳＢ（Universal Serial Bus）インタフェース等を介して無線通信ドングルが挿されたＤＰＦ１０５およびホームゲートウェイ１０４等であってもよい。
【００５０】
例えば、ＤＰＦ１０５のＧＵＩにおいて、ユーザが「オフ」ボタンを押下することにより、タップ用リモコンから電源タップ１０１へ電力供給停止命令が送信される。
【００５１】
［動作］
次に、本発明の実施の形態に係る電源タップ１０１が電気機器１２１への電力供給を停止する場合の動作の流れについてフローチャートを用いて詳細に説明する。
【００５２】
電源タップ１０１は、以下に示すフローチャートにおける各ステップを図示しないメモリから読み出して実行する。このプログラムは、外部からインストールすることができる。このインストールされるプログラムは、例えば記録媒体に格納された状態で流通する。
【００５３】
図４は、本発明の実施の形態に係る電源タップ１０１が電気機器１２１への電力供給を停止する場合の動作の流れを説明するフローチャートである。
【００５４】
図４を参照して、まず、ユーザが、タップ用リモコンを直接操作するか、あるいはＤＰＦ１０５およびホームゲートウェイ１０４等のＧＵＩを用いて電力供給の停止を指示すると、電源タップ１０１は、電力供給停止命令をリモコンから受信する（ステップＳ１）。
【００５５】
次に、電力伝達部１１は、内蔵のリレーをオフすることにより、電気機器１２１への電力供給経路を遮断して電力供給を停止する（ステップＳ２）。
【００５６】
次に、電力伝達部１１は、ステップＳ２において内蔵のリレーをオフしてから所定時間経過後に、リレーをオンすることにより、電気機器１２１への電力供給を再開する（ステップＳ３）。
【００５７】
次に、電源タップ１０１における電力伝達部１１は、接続部１２に接続されている電気機器１２１が待機状態を有するか否かを示す情報を記憶部１７から読み出す（ステップＳ４）。
【００５８】
そして、電力伝達部１１は、電気機器１２１が待機状態を有する場合には（ステップＳ４で「ＹＥＳ」）、リレーがオンである状態を継続する（ステップＳ５）。
【００５９】
すなわち、たとえばエアコンのように、待機状態を有する電気機器１２１の場合、当該電気機器は電源管理機能を有しているため、電源タップ１０１のリレーをオフの状態からオンの状態にしても、ユーザが当該電気機器１２１の電源スイッチをオンしなければ当該電気機器１２１は稼動状態にならない。電源タップ１０１のリレーをオフすることによって、当該電気機器の電源が切断されれば、その後、電源タップ１０１のリレーをオンにしても、当該電気機器は稼動状態にならないため、電源タップ１０１のリレーがオンである状態を継続する。
【００６０】
一方、電力伝達部１１は、電気機器１２１が待機状態を有していない場合には（ステップＳ４で「ＮＯ」）、測定部１３は、電気機器１２１への電力供給を再開した後に電気機器１２１へ供給される電流を少なくとも測定する（ステップＳ６）。そして、電力伝達部１１は、測定部１３による測定結果に基づいて、電気機器１２１への電力供給を再び停止するべきであるか否かを判断する（ステップＳ７）。
【００６１】
そして、電力伝達部１１は、例えば測定された電流値が所定の電流値を超えない場合には（ステップＳ７で「ＮＯ」）、電力供給を再停止する必要がないと判断し、内蔵のリレーがオンの状態を継続する。
【００６２】
すなわち、電気機器１２１への電力供給を再開した後（ステップＳ３）、所定値を超える電流などが測定部１３によって計測されない状態とは、（電気機器１２１が待機状態を有しているか、）たとえば、電気ストーブのように電気機器１２１が待機状態を有していないものの当該電気機器１２１側の電源（スイッチ）がオフになっている状態である。このため、リレーがオンの状態を継続して、電気機器１２１へ電力を供給させておき、ユーザが電気機器１２１専用のリモコン等によって電気機器１２１側の電源をオンにするなどの操作を行うことにより電気機器１２１が稼働する。
【００６３】
一方、電力伝達部１１は、例えば測定された電流値が所定の電流値を超えた場合には（ステップＳ７で「ＹＥＳ」）、電力供給を再停止する必要があると判断し、再開した電気機器１２１への電力供給を再び停止する（ステップＳ８）。
【００６４】
すなわち、電気機器１２１への電力供給を再開した後（ステップＳ３）、所定値を超える電流などが測定部１３によって計測される状態とは、待機状態を有しない電気機器１２１側の電源がオンの状態である。この場合、電力伝達部１１は再開した電気機器１２１への電力供給を再び停止する。
【００６５】
次に、送信部１４は、電源タップ１０１から電力供給されると電気機器１２１が稼働状態となることを示す情報を、ホームゲートウェイ１０４を介してＤＰＦ１０５へ送信する（ステップＳ９）。
【００６６】
そして、ＤＰＦ１０５は、電気機器１２１側の電源が入っていることを音声または映像などによってユーザに知らせる。例えば、「電気機器を利用するには電源タップをオンする必要があります。」という表示をモニタに表示したり、警告音を発生したりすることにより、ユーザに電源タップを操作する必要性があることを知らせる。
【００６７】
さらに、ステップＳ３へ再び移行して、電力伝達部１１がリレーを再びオンにして電気機器１２１が待機状態を有するか否かを判断し、電気機器１２１が待機状態を有していない場合には、測定部１３による測定結果に基づいて電力伝達部１１が電力供給を再停止すべきか否かを判断し、電力供給を再停止すべきであると判断した場合には電力伝達部１１がリレーをオフする（ステップＳ３からステップＳ９）という一連の動作を繰り返す。このとき、ユーザが電気機器１２１専用のリモコン等によって電気機器１２１側の電源をオフに切り替えた場合には、電力伝達部１１が電力供給を再開した場合（ステップＳ３）であっても、所定値以上の電流などは計測されなくなる。このため、電力伝達部１１は、電力供給を再び停止する必要はないと判断し（ステップＳ７で「ＮＯ」）、ステップＳ３からステップＳ９までの繰り返し動作は終了する。
【００６８】
本発明の実施の形態に係る電源タップ１０１では、このように、電力伝達部１１は、電力供給停止命令を受けて電気機器１２１への電力供給を停止した後に、ユーザが電気機器１２１を専用のリモコン等で稼働できるようにするために電気機器１２１への電力供給を再開する。
【００６９】
このような構成により、電力供給停止命令を受けて接続部からの給電が行なわれない状態にしてから所定時間が経過すると、接続部からの給電が可能な状態にするので、電力供給装置の接続部への給電が行なわれない状態に一旦しても、ユーザは、電気機器側の電源操作をするだけで、当該電気機器を円滑に利用することができる。
【００７０】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【００７１】
（変形例１）
例えば、上記実施の形態では、電源タップ１０１が記憶部１７を有し、この記憶部１７は、電気機器１２１が待機状態を有するか否か記憶する場合について説明した。しかし、電源タップ１０１が記憶部１７を有していない構成を採用することもできる。
【００７２】
具体的には、図４に示すステップＳ３において、電力伝達部１１がリレーをオンすることによって電気機器１２１への電力供給を再開した後は、ステップＳ４へ移行せずにステップＳ５へ移行し、電力伝達部１１が測定部１３による測定結果に基づいて、電気機器１２１への電力供給を再停止すべきか否かを判断するように構成することができる。
【００７３】
（変形例２）
また、上記実施の形態では、図４に示すステップＳ３からステップＳ７までを繰り返し、ユーザが電気機器１２１専用のリモコン等によって電気機器１２１側の電源をオフに切り替えた場合には、所定値以上の電流などは計測されなくなるため、この繰り返しの動作は終了することを説明した。しかし、例えば、電源タップ１０１は、電気機器１２１側の電源のオンオフを検出する検出部（図示を省略）を有する構成を採用することができる。
【００７４】
このような構成によれば、電力伝達部１１は、電気機器１２１側の電源がオフであることを示す信号を受信した場合には、リレーがオンの状態を継続するように電力を電気機器１２１へ供給する。
【００７５】
また、その他の変形例として、上記実施の形態では、所定時間が経過することで接続部１２からの給電が可能な給電可能状態にした場合に、その給電可能状態を継続するか解除するかをその給電可能状態にしてからの測定部１３の測定結果により決定し、その給電可能状態を解除すると決定したとき、接続部１２からの給電が行なわれない状態にしていた。しかしながら、接続部１２に接続された電気機器１２１に供給される電力を予め測定部１３により測定しておき、判定部１６が、予め得られた測定部１３の測定結果に基づいて、当該電気機器１２１が待機状態を有するか否かを判断しておくようにしてもよい。この場合、電力伝達部１１は、電気機器１２１が待機状態を有するときには、所定時間が経過することで接続部１２からの給電が可能な状態にし、待機状態を有しないときには、所定時間が経過しても接続部１２からの給電が行なわれない状態を維持する。電力伝達部１１が接続部１２からの給電が行なわれない状態を維持するときには、当該電気機器１２１を利用するユーザが迷わないように、当該電気機器１２１を利用するには電源タップ１０１をオンする必要があることを示す情報を送信部１４がホームゲートウェイ１０４へ送信し、ＤＰＦ１０５等の報知装置を通じてユーザに知らせるのが好ましい。
【符号の説明】
【００７６】
１１  電力伝達部
１２  接続部
１３  測定部
１４  送信部
１５  受信部
１６  判定部
１７  記憶部
１０１  電源タップ（電力供給装置）
１０２  分電盤
１０３  無線アダプタ
１０４  ホームゲートウェイ（管理装置）
１０５  ＤＰＦ（報知装置）
１２１  電気機器
２０１  電力管理システム
【図１】
2013017265.tif 000003
【図２】
2013017265.tif 000004
【図３】
2013017265.tif 000005
【図４】
2013017265.tif 000006